(57)【特許請求の範囲】
【請求項１】
器具設置壁に取付けられる光源と、この光源の前側に配置され上端および下端と前記器具設置壁との間が開放した半透過のセードと、前記光源の中心と前記セードとの間に位置するように設置されて前記セードからの反射光の一部を器具外部へ反射する反射機能を表面に有しかつその裏面にも反射機能を有する反射部材とを備え、前記反射部材は下端が前記光源よりも上側で上端が前記セードの前記上端よりも上側に位置する第１の反射部を有し、上端が前記光源よりも下側で下端が前記セードの前記下端よりも下側に位置する第２の反射部を有する照明器具。
【請求項２】
前記反射部材よりも前記器具設置壁に近い位置に設けられて前記光源からの光を器具外部へ反射する機能を有する他の反射部材を有する請求項１記載の照明器具。
【発明の詳細な説明】
【０００１】
【発明の属する技術分野】
この発明は、住宅において快適な照明環境を実現する、設置高さ１．８ｍ〜２ｍの範囲で住宅の壁面に設置される全般照明用壁付け照明器具に関するものである。
【０００２】
【従来の技術】
従来の住宅用壁付け照明器具には、多様な大きさや形状のものがあるが、それらの器具の直下方向を０度とする鉛直面断面における配光は図１２および図１３に示すように大きく４つに大別される。各図の（ａ）、（ｂ）の配光曲線の左側にそれぞれ照明器具の外形を示す。また光度のスケールは最大光度を１とする相対スケールである。
【０００３】
図１２（ａ）の配光では、直下方向を０度とする鉛直面断面において、一般的な視線高さ１．５ｍ前後の観察状態での観察者の視野に入りやすい方向である鉛直角７０度〜９０度の領域Ｃに集中して光度が高いことが特徴であり、おおよそ、１００ｃｄ前後の光度がこの領域で生じる。１００ｃｄの光度で、一般的な壁付け照明器具の一般的な観察位置からの見かけの発光部面積である０．０１〜０．０２ｍ2 に対して、その輝度は５０００〜１００００ｃｄ／ｍ2 と非常に高い輝度となる。
【０００４】
図１４は、一般的な屋内の照明空間の順応レベルである１００ｃｄ／ｍ2 に眼が順応している時の対象の輝度と、その対象を観察したときに感じる明るさの感覚量であるブライトネスとの関係を示したものである（武内ら：「ブライトネスとその計測」、Ｎａｔｉｏｎａｌ  Ｔｅｃｈｎｉｃａｌ  Ｒｅｐｏｒｔ、Ｖｏｌ．３３、Ｎｏ．３、ＰＰ．１１４−１２０（１９８７））。
【０００５】
【発明が解決しようとする課題】
図１４より、図１２（ａ）の配光では、「まぶしい」と感じられる６０００ｃｄ／ｍ2 以上の高い輝度が、一般的な視線高さ１．５ｍ前後の観察状態での観察者の視野に入りやすい方向である鉛直角７０度〜９０度の方向に存在していることから、不快な印象となることが読みとれる。また、この配光では、不快なまぶしさを与えるだけでなく、一方で、空間の各部位の明るさが、その高い輝度部との対比効果により、暗く感じられてしまう。すなわち、図１２（ａ）の配光を有する照明器具を全般照明として用いると、不快なまぶしさを与えるだけでなく、空間全体も良い印象とはならない。
【０００６】
次に、筒型のセードを有する器具などの、図１２（ｂ）や図１３（ａ）の配光を有する器具が存在するが、図１２（ｂ）の配光の場合、光源前に設置されるセードの透過率が高いと図１２（ａ）と同様、一般的な視線高さ１．５ｍ前後の観察状態での観察者の視野に入りやすい方向である鉛直角７０度〜９０度の領域の光度が高く、その方向から観察した時に３０００ｃｄ／ｍ2 より高い輝度となり、不快なまぶしさを与える。そこで、まぶしさを与えないように、セードの透過率を落としたのが図１３（ａ）の配光であるが、今度は逆に、対向壁面へと向かうべき光の多くがセードを透過せずに反射し、設置壁に向かう方向の光量が増えるものの、対向壁面への光量が減り、結果的に空間全体の明るさの印象が低下する。対向壁面へと向かう光量は、電球や蛍光灯などの光源そのものの最大光度が、１０００ｌｍあたり１００ｃｄ前後であることから、最低でも必要な明るさを確保しなければいけない方向の光度は、１０００ｌｍあたり１００ｃｄ以上ないと、必要な明るさを得ることはできず、全般照明の器具とはなりえない。
【０００７】
図１３（ｂ）の配光は、現在ある壁付け照明器具の中で、上記の「不快なまぶしさ」と「空間全体の明るさの不足」の両問題を可能な限り解決しようとした器具の配光であり、一般的な観察状態での観察者の裾野に入りやすい対向壁面方向の鉛直角７０度〜９０度方向のみの光度を「不快なまぶしさを与えない」ように押さえる、不透過ないし透過率を極力落とした上下方向の幅の狭いセードを用い、他の方向の光を増やすよう、セードと反射板以外の範囲は開放にした器具の配光である。しかし、この図１３（ｂ）の配光を有する器具も、図１３（ａ）の配光と同様、光源前のセードにより、対向壁方向の光の多くが設置壁に向かう方向へと反射され、空間全体の明るさ感を得るために必要な対向壁面への光が不足する。
【０００８】
したがって、この発明の目的は、以上述べてきた壁付け照明器具を全般照明として用いる場合に問題となる「不快なまぶしさ」と「空間全体の明るさの不足」の相反する問題を解消した、快適な全般照明用の壁付け照明器具を提供することである。
【０００９】
【課題を解決するための手段】
請求項１記載の壁付け照明器具は、器具設置壁に取付けられる光源と、この光源の前側に配置され上端および下端と前記器具設置壁との間が開放した半透過のセードと、前記光源の中心と前記セードとの間に位置するように設置されて前記セードからの反射光の一部を器具外部へ反射する反射機能を表面に有しかつその裏面にも反射機能を有する反射部材とを備え、前記反射部材は下端が前記光源よりも上側で上端が前記セードの前記上端よりも上側に位置する第１の反射部を有し、上端が前記光源よりも下側で下端が前記セードの前記下端よりも下側に位置する第２の反射部を有するものである。
【００１０】
請求項１記載の壁付け照明器具によれば、壁付け照明に良く見られる器具の設置位置が低いことによって生じやすい不快なまぶしさを防止するだけでなく、空間全体も明るく感じさせ、快適な照明環境を提供することができる。
またセードおよび反射部材により、空間内に明かりをまわす配光、たとえば器具設置壁から離れる方向での鉛直角１０度から７０度、または９０度から１７０度の領域に最大光度を有する配光を実現することが可能となる。さらに反射部材が光源の直視を防ぐルーバ機能を有する。
【００２１】
請求項２記載の壁付け照明器具は、請求項１において、前記反射部材よりも前記器具設置壁に近い位置に設けられて前記光源からの光を器具外部へ反射する機能を有する他の反射部材を有するものである。
【００２２】
請求項２記載の壁付け照明器具によれば、請求項１と同様な効果のほか、より効果的に光源からの光を活用することができる。
【００２３】
【発明の実施の形態】
この発明の実施の形態を図面により説明する。本発明の全般照明用壁付け照明器具の配光を図１に示す。本発明の照明器具の特徴は、まず、直下方向を０度とする鉛直面断面の配光において、器具設置壁から離れる方向（器具設置壁と対向する方向）での鉛直角１０度から７０度と９０度から１７０度の領域Ａから発せられる光束の総和が、器具設置壁に向かう方向での鉛直角１０度から７０度と１１０度から１７０度の領域Ｂから発せられる光束の総和よりも大きいことを特徴とし、設置壁を照明する役割の光量よりも、対向壁側に発せられて、空間全体を照らし、空間全体の明るさを高める役割の光量のほうが多いことを特徴としている。このために、本発明の壁付け照明器具を設置した空間は明るく感じられる。
【００２４】
また、本発明の照明器具の配光は、不快なまぶしさを与えないように、直下方向を０度とする鉛直面断面の配光において、器具設置壁から離れる方向での鉛直角７０度から９０度の範囲内から放たれる光が、その範囲内で観察したときにまぶしさを感じない輝度の上限値である３０００ｃｄ／ｍ2 以下となる光度を有することを特徴としている。図１３が示すまぶしさを感じない輝度の上限値は３５００ｃｄ／ｍ2 であると読みとれるが、この値は人間に対して行った心理評価実験から得られた平均値であるので、１０％前後の誤差があることを配慮すると、３０００ｃｄ／ｍ2 以下とするのが安全である。
【００２５】
本発明の器具はまた、直下方向を０度とする鉛直面断面の配光において、器具設置壁から離れる方向での鉛直角１０度から７０度、または９０度から１７０度の領域に最大光度を有している。これら方向の光は、設置壁から離れる方向の壁をはじめとする空間を構成するその他の壁面、床、天井、そして空間の隅の部分へと向かう光であり、空間の明るさを高めるためには、これら方向に器具の最大光度が存在する必要がある。
【００２６】
そしてこの最大光度値は、全般照明器具として最低限必要なランプ光束１０００ｌｍあたり１００ｃｄ以上の光度を有している。なお、器具設置壁から離れる方向での鉛直角７０度から９０度の範囲内から放たれる光は、その範囲内の方向から観察したときに輝度６００ｃｄ／ｍ2 以上、前述の３０００ｃｄ／ｍ2 以下と規定したことと併せて６００〜３０００ｃｄ／ｍ2 の範囲の輝度となるのが望ましい。図１４に示すように５００ｃｄ／ｍ2 以下の輝度では、「非常に明るい」という感覚ではなくなり、ただの「明るい」と感じるレベル以下での器具の見え方となり、器具の見えに対する明るさ感の低下、そして最終的に空間全体の明るさ感の低下となる。これは、器具発光部の輝度が低いＶＤＴへの映り込みの防止のために輝度規制されているＯＡルーバを備えたオフィス照明器具を設置した空間が、器具の見えが暗いために、空間全体が陰気に感じられる現象と同じである。従って、ある程度の輝度で照明器具が観察されることが望ましく、まぶしいと感じられる手前の「非常に明るい」と感じる見え方が良い。従って、図１４に示される５００ｃｄ／ｍ2 以上という値から、１０％前後の誤差があることを配慮し、６００ｃｄ／ｍ2 以上の輝度があったほうが望ましいと言える。
【００２７】
以上述べてきた図１に示す配光を有する壁付け照明器具と、図１２（ｂ）、図１３（ａ）、図１３（ｂ）の配光を有する壁付け照明器具をそれぞれ廊下空間に設置して、９名の観察者に対して行った空間全体の印象に対する心理評価結果を図２に示す。図２には、「明るさ感」と空間全体の印象に対する総合評価的な評価である「好ましさ」に対する評価結果を示した。図２に示すように、本発明の図１の配光を有する照明器具を設置した空間の印象は、「明るさ感」、「好ましさ」共に、従来の壁付け照明器具の配光である図１２（ｂ）、図１３（ａ）、図１３（ｂ）の配光を有する壁付け照明器具を設置した空間よりも良い印象を与えていることが分かる。
【００２８】
以上述べてきた、不快なまぶしさを与えず、快適な空間の明るさを提供する本発明の全般照明用壁付け照明器具の図１に示す配光は、器具製作コストや、メンテナンス等の観点から、１個の光源で実現できるのが望ましい。この光源１個を用いての図１に示す配光を実現するための本発明の構成概要図を図３に示す。図３に示すように、１個の光源６による本発明の照明器具は、光源６の前に半透過のセード１を有し、加えて、そのセード１における光源６からの反射光の一部を、器具外部へと反射させる機能を有する反射部材２を、セード１に対して器具設置壁面側に設置することを特徴としている。７は光源６を取付ける器具設置壁、８は本体である。
【００２９】
半透過のセード１は、本発明の特徴である、直下方向を０度とする鉛直面断面の配光において、器具設置壁７と対向する方向での鉛直角７０度から９０度の範囲内から放たれる光の光度が、その方向から観察したときに、６００〜３０００ｃｄ／ｍ2 の範囲の輝度となるような透過率を有している。そして、光源６からの光のうち、セード１に向かう光の一部は透過し、一部の光はそのセード１で反射する。セード１よりも設置壁７側に設置されている反射部材２は、セード１により反射された光の一部を、器具外部へと反射させる機能を有している。
【００３０】
すなわち、その反射部材２は、器具設置壁７の方向に向かっていた光を、それとは対向する方向に反射させ、空間全体を明るく照明するための直下方向を０度とする鉛直面断面の配光における器具設置壁７と対向する方向での鉛直角１０度から７０度、または９０度から１７０度の領域方向の光を増加させる機能を有することで図１に示す配光を実現している。
【００３１】
さらに、図３に示されている光源６の前のセード１からの反射光の一部を、器具外部へと反射させる反射部材２を、光源６の中心と光源６の前のセード１との間に位置するように設置した構成の本発明の照明器具を図４に示す。図４に示す本発明の照明器具の特徴は、光源６の中心と光源６の前のセード１との間の位置に設置された反射部材３は、図３の反射部材２の機能を有すると共に、光源６が直接見えることを防ぐルーバ機能を有していることである。反射部材３は、表面に反射機能を有するだけでなく、その裏面にも反射機能を有しており、反射部材３の設置壁７側で生じている光源６からの光の器具内部での反射光を可能な限り、器具外部へと反射させる効果を有し、空間を照明するための光量を増加させる。反射部材３がなく光源６の前のセード１の長さを短くして対向壁や天井に向かう光を増やした場合は、明るさ感は確保できるが、光源６を直視する可能性は増えまぶしさが増える。Ｅは人の目を示す。
【００３２】
また、図４の反射部材３のさらに設置壁７側に反射部材４を有する構成の本発明の照明器具を図５に示す。この照明器具の反射部材４の反射特性は、光源６からの光を直接に器具外部へと反射させる反射特性を有しており、さらに、反射部材３の設置壁７側で生じている光源６からの光の器具内部反射光を可能な限り器具外部へと反射させて、空間全体を明るく照明するための、直下方向を０度とする鉛直面断面の配光における器具設置壁７と対向する方向での鉛直角１０度から７０度、または９０度から１７０度の領域方向の光を効果的に増加させる。光源６の後方に反射部材４がないと、器具内部での反射回数が増え、器具外部に対して光が有効に出ていかない。
【００３３】
さらに他の各実施の形態を図６から図１１に示す。図６の実施の形態は、３つの光源６ａ〜６ｃを用いて図１に示す本発明の配光を実現した照明器具である。１ａはセードとなる透過部材、９は光源６ａ、６ｂ間および６ｂ、６ｃ間に設けた反射部材である。
【００３４】
図７の実施の形態は、半円筒形の半透過のセード１と平板状の反射部材２との組み合わせによる図３に示す構成の照明器具である。
【００３５】
図８の実施の形態は、半方形筒形の半透過セード１と、コ字形の反射部材２との組み合わせによる図３に示す構成の照明器具である。
【００３６】
図９の実施の形態は、半円筒形の半透過セード１と半円筒形の反射部材３との組み合わせによる図４に示す構成の照明器具である。
【００３７】
図１０の実施の形態は、図５に示す実施の形態の照明器具で、図５の反射部材４の表面は直線の断面形状であったが、半放物面の断面形状を有する反射部材を器具設置壁７側の反射板４として用いたものである。
【００３８】
図１１の実施の形態は、図５に示す実施の形態の照明器具で、器具設置壁７側の反射板として用いた反射部材４の反射部領域４ａが鏡面性の特性を有するものである。
【００３９】
【発明の効果】
請求項１記載の壁付け照明器具によれば、壁付け照明に良く見られる器具の設置位置が低いことによって生じやすい不快なまぶしさを防止するだけでなく、空間全体も明るく感じさせ、快適な照明環境を提供することができる。
またセードおよび反射部材により、空間内に明かりをまわす配光、たとえば器具設置壁から離れる方向での鉛直角１０度から７０度、または９０度から１７０度の領域に最大光度を有する配光を実現することが可能となる。さらに反射部材が光源の直視を防ぐルーバ機能を有する。
【００４５】
請求項２記載の壁付け照明器具によれば、請求項１と同様な効果のほか、より効果的に光源からの光を活用することができる。
【図面の簡単な説明】
【図１】この発明の照明器具の配光曲線図である。
【図２】異なる配光の壁付け照明器具を設置した空間に対する心理評価結果を示すグラフである。
【図３】実施の形態の壁付け照明器具の断面図である。
【図４】別の実施の形態の壁付け照明器具の断面図である。
【図５】さらに別の実施の形態の壁付け照明器具の断面図である。
【図６】さらに別の実施の形態の壁付け照明器具の断面図である。
【図７】さらに別の実施の形態の壁付け照明器具の斜視図である。
【図８】さらに別の実施の形態の壁付け照明器具の斜視図である。
【図９】さらに別の実施の形態の壁付け照明器具の斜視図である。
【図１０】さらに別の実施の形態の壁付け照明器具の断面図である。
【図１１】さらに別の実施の形態の壁付け照明器具の斜視図である。
【図１２】従来例の各種の配光曲線図である。
【図１３】従来例の別の各種の配光曲線図である。
【図１４】対象の輝度とその対象を観察した時のブライトネスのグラフである。
【符号の説明】
１    セード
２    反射部材
３    反射部材
４    反射部材
６    光源
７    器具設置壁
【図１】
0004006922.tif 000002
【図２】
0004006922.tif 000003
【図３】
0004006922.tif 000004
【図４】
0004006922.tif 000005
【図５】
0004006922.tif 000006
【図６】
0004006922.tif 000007
【図７】
0004006922.tif 000008
【図８】
0004006922.tif 000009
【図９】
0004006922.tif 000010
【図１０】
0004006922.tif 000011
【図１１】
0004006922.tif 000012
【図１２】
0004006922.tif 000013
【図１３】
0004006922.tif 000014
【図１４】
0004006922.tif 000015